【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
第１の電極層と第２の電極層との間にサンドイッチ状に挟まれたディスプレイ・セルを有する電気泳動ディスプレイを製造する方法であって、第１の電極層の一部を除去すること及び下側のディスプレイ・セル層をストリッピング・オフして、ドライバー回路へ接続するために、第２の電極層上の導体ラインを露出させることを含んでなる方法。
【請求項２】
第１の電極層及び第２の電極層、前記２つの電極層の間にサンドイッチ状に挟まれたディスプレイ・セル層を有し、場合によって、前記ディスプレイ・セル層と前記電極層の１つとの間に接着剤層を有する電気泳動ディスプレイを製造する方法であって、
ａ）所定の領域において第１の電極層を除去すること；
ｂ）前記所定の領域において、ディスプレイ・セル層及び存在する場合の接着剤層をストリッピング・オフして、その下側の第２の電極層を露出させること；並びに
ｃ）露出させた第２の電極層上の導体ライン又はパターンをドライバー回路に接続すること
を含んでなる方法。
【請求項３】
前記工程（ｂ）の前に、保護被覆又はエッジ・シーリングを適用して、ストリッピングされるべきでない領域を保護することを更に含んでなる請求項２記載の方法。
【請求項４】
ダイ切断、ダイヤモンド切断、ナイフ切断又はレーザー切断によって、前記所定の領域において第１の電極層を除去する請求項２記載の方法。
【請求項５】
前記接着剤層は、感圧性接着剤、ホットメルト接着剤、及び照射線硬化性接着剤からなる群から選ばれる１種の接着剤又は接着剤混合物から形成される請求項２記載の方法。
【請求項６】
前記接着剤層には、多官能性アクリレート及び溶媒に可溶性又は分散性のポリマー若しくはオリゴマーが含まれる請求項５記載の方法。
【請求項７】
前記溶媒に可溶性又は分散性のポリマー若しくはオリゴマーは、ポリエステル、ポリビニルブチラール、アクリレート若しくはメタクリレートコポリマー、スチレンコポリマー、ポリカプロラクトン、ポリエーテル、ポリカーボネート、ポリアミド及びポリウレタンからなる群から選ばれる請求項６記載の方法。
【請求項８】
前記接着剤層は、多官能性アクリレート及び水に可溶性又は分散性のポリマー若しくはオリゴマーを含んでなる請求項５記載の方法。
【請求項９】
前記水に可溶性又は分散性のポリマー若しくはオリゴマーは、ポリエチレングリコール、ポリ（２−エチル−２−オキサゾリン）、ポリビニルピロリドン、ヒドロキシエチルセルロース、ヒドロキシプロピルセルロース、及びそれらのコポリマー若しくはブロックコポリマー、アクリル酸若しくはメタクリル酸、イタコン酸、無水マレイン酸、ビニルフタレート及びビニルピリジンから誘導される酸性若しくは塩基性コポリマーからなる群から選ばれる請求項８記載の方法。
【請求項１０】
第１の電極層を除去した前記所定の領域において、ディスプレイ・セル層及び、存在する場合の接着剤層をストリッピング溶媒によってストリッピング・オフする請求項２記載の方法。
【請求項１１】
保護されていない領域において、ディスプレイ・セル層及び、存在する場合の接着剤層をストリッピング溶媒によってストリッピングする請求項３記載の方法。
【請求項１２】
ストリッピング溶媒は、ベンジルアルコール、酢酸イソプロピル、酢酸ブチル、メトキシエタノール、ブタノール、トルエン、キシレン、シクロヘキサノンまたはケトン、ラクトン、エステル、エーテル、アルコール、アミド、ピロリドン及びそれらの混合物又は誘導体からなる群から選ばれる請求項１０記載の方法。
【請求項１３】
前記ストリッピング溶媒は水性ストリッパーである請求項１０記載の方法。
【請求項１４】
前記水性ストリッパーは、水酸化カリウム、水及び無機ボレートの混合物又は水及び水酸化テトラメチルアンモニウムの混合物の組成を有する水性現像剤である請求項１３記載の方法。
【請求項１５】
ディスプレイ・セル層及び存在する場合の接着剤層のストリッピングは、ノズル又は圧縮空気、ソフトブラシ又は他の機械的手段若しくは物理的手段を用いてストリッピングを支援する工程を含んでなる請求項２記載の方法。
【請求項１６】
前記保護被覆又はエッジ・シーリングの材料は高い架橋度のポリマーである請求項３記載の方法。
【請求項１７】
前記高い架橋度のポリマーは、エポキシ樹脂、ポリウレタン樹脂並びに照射線硬化性の多価アクリレート及びビニル樹脂を含む群から選ばれる請求項１６記載の方法。
【請求項１８】
第１の電極層及び第２の電極層、前記２つの電極層の間にサンドイッチ状に挟まれたディスプレイ・セル層を有し、該ディスプレイ・セル層はシーリング層によってシーリングされており、場合によって、前記ディスプレイ・セル層と第２の電極層との間にプライマー層を有し、更に場合によって、前記ディスプレイ・セル層と第１の電極層との間に接着剤層を有する電気泳動ディスプレイを製造する方法であって、
ａ）所定の領域において第１の電極層を除去すること；
ｂ）前記所定の領域において、存在する場合の接着剤層、ディスプレイ・セル層、シーリング層及び存在する場合のプライマー層をストリッピング・オフして、その下側の第２の電極層を露出させること；並びに
ｃ）露出させた第２の電極層上の導体ライン又はパターンをドライバー回路に接続すること
を含んでなる方法。
【請求項１９】
前記工程（ｂ）の前に、保護被覆又はエッジ・シーリングを適用して、ストリッピングされるべきでない領域を保護することを更に含んでなる請求項１８記載の方法。
【請求項２０】
ダイ切断、ナイフ切断、ダイヤモンド切断又はレーザー切断によって、前記所定の領域において第１の電極層を除去する請求項１８記載の方法。
【請求項２１】
前記接着剤層は、感圧性接着剤、ホットメルト接着剤、及び照射線硬化性接着剤からなる群から選ばれる１種の接着剤又は混合物から形成される請求項１８記載の方法。
【請求項２２】
前記接着剤層には、多官能性アクリレート及び溶媒に可溶性又は分散性のポリマー若しくはオリゴマーが含まれる請求項２１記載の方法。
【請求項２３】
前記溶媒に可溶性又は分散性のポリマー若しくはオリゴマーは、ポリエステル、ポリビニルブチラール、アクリレート若しくはメタクリレートコポリマー、スチレンコポリマー、ポリカプロラクトン、ポリエーテル、ポリカーボネート、ポリアミド及びポリウレタンからなる群から選ばれる請求項２２記載の方法。
【請求項２４】
前記接着剤層は、多官能性アクリレート及び水に可溶性又は分散性のポリマー若しくはオリゴマーを含んでなる請求項２１記載の方法。
【請求項２５】
前記水に可溶性又は分散性のポリマー若しくはオリゴマーは、ポリエチレングリコール、ポリ（２−エチル−２−オキサゾリン）、ポリビニルピロリドン、ヒドロキシエチルセルロース、ヒドロキシプロピルセルロース、及びそれらのコポリマー若しくはブロックコポリマー、アクリル酸若しくはメタクリル酸、イタコン酸、無水マレイン酸、ビニルフタレート及びビニルピリジンから誘導される酸性若しくは塩基性コポリマーからなる群から選ばれる請求項２４記載の方法。
【請求項２６】
第１の電極層を除去した前記所定の領域において、存在する場合の接着剤層、ディスプレイ・セル層、シーリング層及び存在する場合のプライマー層をストリッピング溶媒によってストリッピングする請求項１８記載の方法。
【請求項２７】
保護されていない領域において、存在する場合の接着剤層、ディスプレイ・セル層、シーリング層及び存在する場合のプライマー層をストリッピング溶媒によってストリッピングする請求項１９記載の方法。
【請求項２８】
ストリッピング溶媒は、ベンジルアルコール、酢酸イソプロピル、酢酸ブチル、メトキシエタノール、ブタノール、トルエン、キシレン、シクロヘキサノンまたはケトン、ラクトン、エステル、エーテル、アルコール、アミド、ピロリドン及びそれらの混合物又は誘導体からなる群から選ばれる請求項２７記載の方法。
【請求項２９】
前記ストリッピング溶媒は水性ストリッパーである請求項２７記載の方法。
【請求項３０】
前記水性ストリッパーは、水酸化カリウム、水及び無機ボレートの混合物又は水及び水酸化テトラメチルアンモニウムの混合物の組成を有する水性現像剤である請求項２９記載の方法。
【請求項３１】
存在する場合の接着剤層、ディスプレイ・セル層、シーリング層及び存在する場合のプライマー層のストリッピングは、ノズル又は圧縮空気、ソフトブラシ又は他の機械的手段若しくは物理的手段を用いてストリッピングを支援する工程を含んでなる請求項１８記載の方法。
【請求項３２】
前記保護被覆又はエッジ・シーリングは高い架橋度のポリマーである請求項１９記載の方法。
【請求項３３】
前記高い架橋度のポリマーは、エポキシ樹脂、ポリウレタン樹脂並びに照射線硬化性の多価アクリレート及びビニル樹脂を含む群から選ばれる請求項３２記載の方法。
【請求項３４】
基材層と電極層との間にサンドイッチ状に挟まれたディスプレイ・セルを有する電気磁気泳動ディスプレイを製造する方法であって、基材層の一部を除去すること、並びに、下側のディスプレイ・セル層をストリッピング・オフして、ドライバー回路へ接続するために、電極層上の導体ラインを露出させることを含んでなる方法。
【請求項３５】
基材層及び電極層、前記基材層及び電極層の間にサンドイッチ状に挟まれたディスプレイ・セル層を有し、場合によって、前記ディスプレイ・セル層と前記基材層及び電極層の１つとの間に接着剤層を有する電気磁気泳動ディスプレイを製造する方法であって、
ａ）所定の領域において基材層を除去すること；
ｂ）前記所定の領域において、ディスプレイ・セル層及び存在する場合の接着剤層をストリッピング・オフして、その下側の電極層を露出させること；並びに
ｃ）露出させた電極層上の導体ライン又はパターンをドライバー回路に接続すること
を含んでなる方法。
【請求項３６】
前記工程（ｂ）の前に、保護被覆又はエッジ・シーリングを適用して、ストリッピングされるべきでない領域を保護することを更に含んでなる請求項３５記載の方法。
【請求項３７】
基材層及び電極層、前記基材層及び電極層の間にサンドイッチ状に挟まれたディスプレイ・セル層を有し、前記ディスプレイ・セルはシーリング層によってシールされており、場合によって、前記ディスプレイ・セル層と第２の電極層との間にプライマー層を有し、更に場合によって、前記ディスプレイ・セル層と基材層との間に接着剤層を有してなる電気磁気泳動ディスプレイを製造する方法であって、
ａ）所定の領域において電極層を除去すること；
ｂ）前記所定の領域において、存在する場合の接着剤層、ディスプレイ・セル層、シーリング層及び存在する場合のプライマー層をストリッピング・オフして、その下側の電極層を露出させること；並びに
ｃ）露出させた電極層上の導体ライン又はパターンをドライバー回路に接続すること
を含んでなる方法。
【請求項３８】
前記工程（ｂ）の前に、保護被覆又はエッジ・シーリングを適用して、ストリッピングされるべきでない領域を保護することを更に含んでなる請求項３７記載の方法。
【請求項３９】
電気泳動ディスプレイ又は電気磁気泳動ディスプレイの製造に有用なストリッピング可能なシーリング層及び接着剤層のための組成物であって、溶媒、並びに、熱可塑性エラストマー、多価アクリレート若しくはメタクリレート、シアノアクリレート、多価ビニル化合物、多価エポキシド、多価イソシアネート、多価アリル、及び架橋可能な官能基を有するオリゴマー又はポリマーからなる群から選ばれるゴム材料を含んでなる組成物。
【請求項４０】
更に添加剤を含んでなる請求項３９記載の組成物。
【請求項４１】
前記添加剤は、高分子バインダー若しくは増粘剤、光開始剤、触媒、フィラー、着色剤又は界面活性剤である請求項４０記載の組成物。
【請求項４２】
エンボス加工し得る組成物のストリッピング・コーティング又はパッチ・コーティングのプロセスを伴わない請求項１記載の方法を含んでなる電気泳動ディスプレイのロール・ツー・ロールプロセス。
【請求項４３】
エンボス加工し得る組成物のストリッピング・コーティング又はパッチ・コーティングのプロセスを伴わない請求項３４記載の方法を含んでなる電気泳動ディスプレイのロール・ツー・ロールプロセス。
【請求項４４】
請求項１記載の方法及びエンボス加工し得る組成物のストリッピング・コーティング又はパッチ・コーティングのプロセスを含んでなる電気泳動ディスプレイを製造する方法。
【請求項４５】
請求項３４記載の方法及びエンボス加工し得る組成物のストリップ・コーティング又はパッチ・コーティングのプロセスを含んでなる電気磁気泳動ディスプレイを製造する方法。
【手続補正２】
【補正対象書類名】明細書
【補正対象項目名】００２１
【補正方法】変更
【補正の内容】
【００２１】
好適なストリッピング溶媒又は溶液には、ベンジルアルコール、ケトン類（例えばシクロヘキサノン）、酢酸イソプロピル、トルエン等が含まれるが、これらに限定されない。Shipley社（Marlborough、マサチューセッツ州）から入手できる現像剤溶液、例えばShipley４５３（MICROPOSIT（登録商標）４５３  DEVELOPER（水酸化カリウム、水及び無機ホウ酸塩の混合物)）又はShipley ＣＤ２６（MICROPOSIT（登録商標）ＭＦＣＤ-２６  DEVELOPER（水及びテトラメチルアンモニウムヒドロキシドの混合物)）を含むフォトレジスト用のアルカリ性現像剤などの水溶液を用いることもできる。
ストリッピング工程の後、その領域の第２の電極層（１２）上の導体ライン又はパターンを露出させて、ドライバー回路へ接続できるようにする。
【手続補正３】
【補正対象書類名】明細書
【補正対象項目名】００２９
【補正方法】変更
【補正の内容】
【００２９】
水性ストリッパーを使用する場合に、エンボス加工組成物に好適なポリマー添加剤には、水に可溶性又は分散性のポリマー、例えば、ポリエチレングリコール、ポリ（２−エチル−２−オキサゾリン）、ポリビニルピロリドン（ＰＶＰ）、ヒドロキシエチルセルロース（ＨＥＣ）、ヒドロキシプロピルセルロース（ＨＰＣ）並びにそれらのコポリマー若しくはブロックコポリマー、アクリル酸若しくはメタクリル酸、イタコン酸、無水マレイン酸、ビニルフタレート及びビニルピリジン等から誘導される酸性若しくは塩基性コポリマー、例えばCarboset５１５（ＢＦGoodrich社（Cleveland、オハイオ州）から入手可能）が含まれるが、これらに限定されない。
【手続補正４】
【補正対象書類名】明細書
【補正対象項目名】００４０
【補正方法】変更
【補正の内容】
【００４０】
別法として、水性ストリッパー、例えば水性現像剤Shipley４５３（MICROPOSIT（登録商標）４５３  DEVELOPER（水酸化カリウム、水及び無機ホウ酸塩の混合物)）又はShipley ＣＤ２６（MICROPOSIT（登録商標）ＭＦＣＤ-２６  DEVELOPER（水及びテトラメチルアンモニウムヒドロキシドの混合物)）（共にShipley社（Marlborough、マサチューセッツ州）から入手可能）を用いてストリッピング・オフすることもでき、これは酸性の組成物をプライマー、マイクロカップ、シーリング、又は接着剤層に用いる場合には特に有用である。ストリッピング・オフすることは、例えばノズル、又は圧縮空気、ソフトブラシ(soft brush)及び他の機械的手段若しくは物理的手段等によって、ストリッパーを噴霧することによって支援することもできる。